(57)【要約】【課題】  構造物の上部からのアクセスが容易で、収納・保管スペースも小さくて済む索条吊下げ用治具を提供すること。【解決手段】  構造物Ｂの前面および上面に当てられるベース部材１１と、このベース部材１１に立設されて高さを確保する高さ保持部材１２と、この高さ保持部材１２に取り付けられ構造物Ｂの前面より前方に突き出すとともに、先端に索条Ｗを吊下げ支持する吊下げ支持部１８を備える梁部材１３とを備えて構成する。これにより、ベース部材１１上に高さ保持部材１２を介して梁部材１３を設けることで、構造物Ｂ上部からの梁部材１３先端の吊下げ支持部１８から吊下げられる作業装置Ｇ，３０などへのアクセスを簡単に行うことができるようにしている。【選択図】  図１
2007009633.tif 000002
【特許請求の範囲】
【請求項１】
構造物の前面および上面に当てられるベース部材と、このベース部材に立設されて当該ベース部材からの高さを確保する高さ保持部材と、この高さ保持部材に取り付けられ前記構造物の前面より前方に突き出すとともに、先端に索条を吊下げ支持する吊下げ支持部を備える梁部材とを備えてなることを特徴とする索条吊下げ用治具。
【請求項２】
前記ベース部材と、前記高さ保持部材または前記梁部材とを分割・連結可能に構成したことを特徴とする請求項１記載の索条吊下げ用治具。
【請求項３】
前記高さ保持部材で保持される高さを、前記梁部材の吊下げ支持部から吊下げた索条に連結される作業装置へのアクセスを可能として構成したことを特徴とする請求項１または２記載の索条吊下げ用治具。
【請求項４】
前記梁部材の後端部に、上方に突き出すとともに、上端部に索条を支持する索条支持部を備える支柱部材を設けたことを特徴とする請求項１〜３のいずれかに記載の索条吊下げ用治具。
【発明の詳細な説明】
【技術分野】
【０００１】
この発明は索条吊下げ用治具に関し、建築物などの構造物の上部からゴンドラなどの作業装置を昇降させるために用いる吊下げ用のワイヤロープなどの索条を支持する場合に、上端位置を高くできるとともに、収納・運搬を効率的にできるようにしたものである。
【背景技術】
【０００２】
従来から、ビル、船舶、発電所、タンク、煙突、そして橋梁などの構造物の壁面の構築や補修などの高所作業を安全かつ能率的に行うため有人のゴンドラや揚重装置などの作業装置を用いることも多く、構造物の壁面から隔ててワイヤロープなどの索条を吊下げる必要があり、吊下げ用治具を設置するようにしている。
【０００３】
このような吊下げ用治具１としては、例えば特許文献１に開示されているものを図５に示すように、構造物Ｂの上部である屋上のパラペットなどの上面と前面に当てる断面形状がＬ字状で平面形状が略台形状の当て板となるベース板２上に水平に突き出す梁となる水平梁材３が溶接などで取り付けられ、この水平梁材３の先端にワイヤロープＷを支持するロープ支持部４が形成してある。また、水平梁材３の基端に上方に突き出す支柱５が溶接などで取り付けられてＬ字状に配置され、この支柱５の上端にもロープ支持部４を形成して構成してある。
【０００４】
そして、この吊下げ用治具１は、構造物Ｂの上部であるパラペットの上面と前面にベース板２を当てるように設置し、２箇所のロープ支持部４，４に末端を構造物Ｂに固定したワイヤロープＷを掛けて先端から壁面に沿って垂らすように吊下げ、このワイヤロープＷを作業装置としての作業用ケージＧに搭載した昇降機構であるエンドレスワインダに巻き掛けてワインダを駆動することによってワイヤロープＷに沿って作業用ケージＧを昇降させて作業を行うようにする。
【特許文献１】実開昭５８−３０８５１号公報
【発明の開示】
【発明が解決しようとする課題】
【０００５】
ところが、このような吊下げ用治具１では、ベース板２から水平に水平梁材３が突き出すように取り付けてあり、例えば作業装置として作業用ケージＧを昇降させる場合に、構造物Ｂの状況によっては地上に下降させた状態で乗り降りができないことがあり、構造物Ｂの上部から乗り降りしようとすると、床面までの距離があり乗り降りし難いという問題がある。同様に、作業装置として揚重装置などを吊下げる場合にも、構造物上部からのメンテナンスなどがやり難いという問題がある。
【０００６】
そこで、水平梁材３を支柱材などを介してベース板２の上方に離して配置することが考えられるが、吊下げ用治具１の重量増大を招き、設置のための運搬などが大変になるとともに、水平な板状のベース板２から、鉛直面内に配置される水平梁材３と、これの高さを保持するため支柱材などが突き出すため、収納・保管に必要なスペースが増大してしまうという新たな問題が生じる。
【０００７】
この発明は、上記従来技術の問題に鑑みてなされたものであって、構造物の上部からのアクセスが容易で、収納・保管スペースも小さくて済む索条吊下げ用治具を提供しようとするものである。
【課題を解決するための手段】
【０００８】
上記課題を解決するためこの発明の請求項１記載の索条吊下げ用治具は、構造物の前面および上面に当てられるベース部材と、このベース部材に立設されて当該ベース部材からの高さを確保する高さ保持部材と、この高さ保持部材に取り付けられ前記構造物の前面より前方に突き出すとともに、先端に索条を吊下げ支持する吊下げ支持部を備える梁部材とを備えてなることを特徴とするものである。
【０００９】
この索条吊下げ用治具によれば、構造物の前面および上面に当てられるベース部材と、このベース部材に立設されて当該ベース部材からの高さを確保する高さ保持部材と、この高さ保持部材に取り付けられ前記構造物の前面より前方に突き出すとともに、先端に索条を吊下げ支持する吊下げ支持部を備える梁部材とを備えて構成してあり、ベース部材上に高さ保持部材を介して梁部材を設けることで、梁部材先端の吊下げ支持部から吊下げられる作業装置などへの構造物上部でのアクセスを容易にしている。
【００１０】
また、この発明の請求項２記載の索条吊下げ用治具は、請求項１記載の構成に加え、前記ベース部材と、前記高さ保持部材または前記梁部材とを分割・連結可能に構成したことを特徴とするものである。
【００１１】
この索条吊下げ用治具によれば、前記ベース部材と、前記高さ保持部材または前記梁部材とを分割・連結可能に構成しており、水平の板状のベース部材と、垂直な平面状に配置される梁部材または高さ保持部材とを分割構造としてこれらを連結して使用することで、分割状態の個々の重量を軽減して運搬や組立を容易とするとともに、収納・保管も別々として必要なスペースを小さくできるようにしている。
【００１２】
さらに、この発明の請求項３記載の索条吊下げ用治具は、請求項１または２記載の構成に加え、前記高さ保持部材で保持される高さを、前記梁部材の吊下げ支持部から吊下げた索条に連結される作業装置へのアクセスを可能として構成したことを特徴とするものである。
【００１３】
この索条吊下げ用治具によれば、前記高さ保持部材で保持される高さを、前記梁部材の吊下げ支持部から吊下げた索条に連結される作業装置へのアクセスを可能として構成しており、作業装置へのアクセスが容易となり、乗り移りも簡単にできるようになる。
【００１４】
また、この発明の請求項４記載の索条吊下げ用治具は、請求項１〜３のいずれかに記載の構成に加え、前記梁部材の後端部に、上方に突き出すとともに、上端部に索条を支持する索条支持部を備える支柱部材を設けたことを特徴とするものである。
【００１５】
この索条吊下げ用治具によれば、前記梁部材の後端部に、上方に突き出すとともに、上端部に索条を支持する索条支持部を備える支柱部材を設けており、支柱部材を介することで吊下げ用の索条を一層容易に配索できるようになる。
【発明の効果】
【００１６】
この発明の請求項１記載の索条吊下げ用治具によれば、構造物の前面および上面に当てられるベース部材と、このベース部材に立設されて当該ベース部材からの高さを確保する高さ保持部材と、この高さ保持部材に取り付けられ前記構造物の前面より前方に突き出すとともに、先端に索条を吊下げ支持する吊下げ支持部を備える梁部材とを備えて構成したので、ベース部材上に高さ保持部材を介して梁部材を設けることで、構造物上部からの梁部材先端の吊下げ支持部から吊下げられる作業装置などへのアクセスを簡単に行うことができる。
【００１７】
また、この発明の請求項２記載の索条吊下げ用治具によれば、前記ベース部材と、前記高さ保持部材または前記梁部材とを分割・連結可能に構成したので、水平の板状のベース部材と、垂直な平面状に配置される梁部材または高さ保持部材とを分割構造としてこれらを連結して使用することで、分割状態の個々の重量を軽減して運搬や組立を容易にすることができるとともに、収納・保管も別々として必要なスペースを小さくすることができる。
【００１８】
さらに、この発明の請求項３記載の索条吊下げ用治具によれば、前記高さ保持部材で保持される高さを、前記梁部材の吊下げ支持部から吊下げた索条に連結される作業装置へのアクセスを可能として構成したので、作業装置へのアクセスが容易となり、乗り移りも簡単に行うことができる。
【００１９】
また、この発明の請求項４記載の索条吊下げ用治具によれば、前記梁部材の後端部に、上方に突き出すとともに、上端部に索条を支持する索条支持部を備える支柱部材を設けたので、支柱部材を介することで吊下げ用の索条を一層容易に配索することができる。
【発明を実施するための最良の形態】
【００２０】
以下、この発明の索条吊下げ用治具の一実施の形態について添付図面を参照して詳細に説明する。
【００２１】
図１〜図４はこの発明の索条吊下げ用治具の一実施の形態にかかり、図１はゴンドラ装置とともに示す概略構成図、図２は組立状態の正面図、平面図および側面図、図３はベース部材の正面図、平面図および側面図、図４は梁部材および高さ保持部材の正面図、平面図および側面図である。
【００２２】
この索条吊下げ用治具１０は、例えば作業装置としてのゴンドラ装置の作業用ケージＧを構造物Ｂである屋上から吊下げた索条であるワイヤロープＷに沿って昇降させる場合のワイヤロープＷの支持に適用したものである。
【００２３】
この索条吊下げ用治具１０は、図２〜図４に示すように、構造物Ｂの上面および前面に当てられる断面形状がＬ字状で平面形状が逆台形状のベース部材１１と、このベース部材１１上に高さを保持するため取り付けられる高さ保持部材１２および高さ保持部材１２上に水平に取り付けられて前方に突き出す梁部材１３とに分割された分割構造とされ、連結機構１４を備え、連結して組み立てたり、分解できるようにしてある。
【００２４】
ベース部材１１は、図３に示すように、台形状のプレート１１ａの長辺側に直角の前面当て部１１ｂが下方に突き出して設けられ、Ｌ字状に配置されて一体の曲げ加工、あるいは別部材を溶接して構成してあり、軽量化のためプレート１１ａに４つの貫通孔１１ｃが形成してある。
【００２５】
このベース部材１１には、連結機構１４を構成する連結部１５，１６が前後２箇所に設けられ、それぞれの連結部１５，１６が横断面形状を略Ｌ字状とした一対の連結金具１５ａ、１６ａを間隔をあけて対向させて構成してあり、その間に高さ保持部材１２を差し込むことができるようにしてある。
【００２６】
そして、各連結金具１５ａ，１６ａの対向面１５ｂ，１６ｂのそれぞれに上下に連結ピン、あるいはボルト用の連結穴１５ｃ，１６ｃが形成してある。
【００２７】
このようなベース部材１１に連結機構１４を介して連結される高さ保持部材１２および梁部材１３は、図４に示すように、ベース部材１１の前後の連結部１５ａ，１６ａに対応して角パイプ状の高さ保持部材１２を構成する支柱部１２ａが前後に２本配置され、これら２本の支柱部１２ａの上端面にベース部材１１の前面当て部１１ａより前方に突き出す角パイプ状の梁部材１３が載せられて溶接などで取り付けられている。そして、これら高さ保持部材１２と梁部材１３とを補強するため、支柱部１２ａの下端部が補強材１７ａで連結され、さらに支柱部１２ａ同士の後部上端から前部下端に斜めの補強材１７ｂが連結されるとともに、梁部材１３の中間部から前方の支柱部１２ａの下端にも斜めの補強材１７ｃが連結してある。
【００２８】
このような高さ保持部材１２および梁部材１３には、ワイヤロープＷなどの索条を吊り下げるための吊下げ支持部１８などが設けられる。梁部材１３の先端の吊下げ支持部１８は、半円状の湾曲部１８ａの両側に案内板１８ｂが設けられて構成される。
【００２９】
また、高さ保持部材１２の後方の支柱部１２ａの上端で梁部材１３の後端より上方に突出した部分にも、半円状の湾曲部１９ａの両側に案内板１９ｂが設けられて吊下げ支持部１９が構成され、梁部材１３より突き出した部分は、支柱部材２０を構成している。
【００３０】
さらに、梁部材１３の構造物より突き出す部分の中間部および前方の斜めの補強材１７ｃには、それぞれ円筒部２１ａと、その外側のつば状の円板部２１ｂとで構成した吊下げ支持部２１が設けてあり、構造物Ｂに対して行う作業内容などによって、１箇所ないし複数箇所の吊下げ支持部１８、１９、２１にワイヤロープＷなどの索条が掛けられる。
【００３１】
このように構成した索条吊下げ用治具１０では、連結機構１４を構成する前後の連結部１５、１６を備えたベース板１１と、高さ保持部材１２の上端に取り付けた梁部材１３とを連結して使用され、図２に示すように、ベース板１１の前後の連結部１５、１６の連結金具１５ａ、１６ａの対向面１５ｂ、１６ｂの間に高さ保持部材１２の前後の支柱部１２ａが差し込まれて連結穴１５ｃ、１６ｃに図示しないピンやボルト・ナットで連結固定する。そして、図１に示すように、構造物Ｂの上面および前面にベース板１１のプレート１１ａと前面当て部１１ｂを当てるように索条吊下げ用治具１０を配置し、作業装置としてのゴンドラ装置の作業用ケージＧを吊下げる索条としてのワイヤロープＷの一端を構造物Ｂに固定して他端を梁部材１３の先端の吊下げ支持部１８の湾曲部１８ａから垂らすようにする。
【００３２】
さらに、このワイヤロープＷを作業用ケージＧに搭載したエンドレスワインダに巻き掛けることでワイヤロープＷに沿って昇降する作業用ケージＧから作業を行うようにする。
【００３３】
この作業用ケージＧでの作業の場合に、構造物Ｂの屋上から乗り降りする必要があっても梁部材１３の位置が高く保持されているので、容易に乗り移ることができる。
【００３４】
また、梁部材１３の途中に設けた吊下げ支持部２１の円筒部２１ａから索条としてのワイヤロープＷを吊下げるようにし、これに揚重装置３０を取り付けて作業に必要な部材の昇降・運搬に使用することで、効率良く作業を行うことも可能となる。
【００３５】
このような作業装置としての揚重装置３０を吊下げる場合でも、梁部材１３が高い位置に保持してあるので、屋上側から揚重装置３０に容易にアクセスしてメンテナンスなどを行なうことができる。
【００３６】
一方、索条吊下げ用治具１０を運搬したり、保管する場合には、ベース板１１を連結機構１４で分割することで、水平のプレート１１ａを主とする水平部分と、使用する状態では鉛直面内に配置される高さ保持部材１２および梁部材１３とに、分離でき、それぞれごとに重ねることで保管スペースを大幅に削減することができる。また、分離した分だけ個々の重量が小さくなり、屋上などへの運搬が容易となる。
【００３７】
なお、上記実施の形態では、作業装置として作業用ケージに適用した場合で説明したが、これに限らず、他の構造物から吊下げて使用する作業装置に広く適用することができる。
【図面の簡単な説明】
【００３８】
【図１】この発明の索条吊下げ用治具の一実施の形態にかかるゴンドラ装置とともに示す概略構成図である。
【図２】この発明の索条吊下げ用治具の一実施の形態にかかり、組立状態の正面図、平面図および側面図である。
【図３】この発明の索条吊下げ用治具の一実施の形態にかかり、ベース部材の正面図、平面図および側面図である。
【図４】この発明の索条条吊下げ用治具の一実施の形態にかかり、梁部材および高さ保持部材の正面図、平面図および側面図である。
【図５】従来の索条吊下げ用治具のゴンドラ装置とともに示す概略構成図および概略斜視図である。
【符号の説明】
【００３９】
Ｂ          構造物
Ｗ          ワイヤロープ（索条）
Ｇ          作業用ケージ（作業装置）
１０        索条吊下げ用治具
１１        ベース板
１２        高さ保持部材
１３        梁部材
１４        連結機構
１５、１６  連結部
１７        補強材
１８，１９  吊下げ支持部
２０        支柱部材
２１        吊下げ支持部
【図１】
2007009633.tif 000003
【図２】
2007009633.tif 000004
【図３】
2007009633.tif 000005
【図４】
2007009633.tif 000006
【図５】
2007009633.tif 000007